(57)【要約】【課題】センター装置の稼働率を抑制する。【解決手段】ネットワーク１７から自装置の記憶手段に取り込んだコンテンツをネットワークヘも配信する機能を有する複数のコンテンツ再生装置１９，２０と、何れかのコンテンツ再生装置からの配信要求に応じて、自己のコンテンツ配信装置１４及び他のコンテンツ再生装置の何れかにコンテンツ配信を指示する購入管理装置１３を有するセンター装置１１と、コンテンツ再生装置及びセンター装置を互いに接続するネットワーク１７と、を備え、一の前記コンテンツ再生装置１９は、購入管理装置１３の指示によって他のコンテンツ配信装置２０にコンテンツを配信する。【選択図】図６
2008206009.tif 000002
【特許請求の範囲】
【請求項１】
ネットワークから自装置の記憶手段に取り込んだコンテンツをネットワークを介して配信する機能を有する複数のコンテンツ再生装置と、
何れかの前記コンテンツ再生装置からの配信要求に応じて、自己のコンテンツ配信装置及び他の前記コンテンツ再生装置の何れかに前記コンテンツの配信を指示する購入管理手段を有するセンター装置と、
前記コンテンツ再生装置及びセンター装置を互いに接続するネットワークと、を備え、
一の前記コンテンツ再生装置は、前記購入管理手段の指示によって他の前記コンテンツ配信装置にコンテンツを配信することを特徴とするコンテンツ配信システム。
【請求項２】
前記センター装置は、コンテンツの配信時及び利用時に必要な暗号化、復号化鍵を生成するコンテンツ保護手段と、前記コンテンツの配信元を決定する端末管理手段と、前記各コンテンツ配信装置に関するＩＤとこの各コンテンツ配信装置に記憶されているコンテンツとの関係を記憶するコンテンツ端末データベースとをさらに有することを特徴とする請求項１に記載のコンテンツ配信システム。
【請求項３】
前記センター装置と前記各コンテンツ再生装置とは、コンテンツ配信の代替条件が登録され、
前記センター装置は、前記代替条件に基づいて、何れのコンテンツ再生装置ヘ前記コンテンツの配信を要求すべきかを決定する端末管理手段をさらに備えることを特徴とする請求項１に記載のコンテンツ配信システム。
【請求項４】
前記コンテンツ再生装置は、自装置が保持するコンテンツ及び代替配信の可能条件を用いて、前記センター装置が選択したコンテンツ配信元の装置指定に応じて、他のコンテンツ再生装置又は前記センター装置の前記コンテンツ配信装置に対してコンテンツ配信を要求することを特徴とする請求項１又は請求項２に記載のコンテンツ配信システム
【請求項５】
ネットワークから受信したコンテンツを記憶手段に記憶する機能と、前記記憶手段が記憶している前記コンテンツに関するコンテンツ情報をネットワークに送信する機能と、前記コンテンツ情報に基づいた配信指示によって、他のコンテンツ配信装置にネットワークを介して前記コンテンツを配信する機能と、を備えることを特徴とするコンテンツ再生装置。
【請求項６】
センター装置と複数のコンテンツ再生装置とを用いて、何れかの前記コンテンツ再生装置にコンテンツを配信するコンテンツ配信方法であって、
前記センター装置は、前記コンテンツの配信を代替する代替条件を登録するステップと、
前記ダウンロード代替条件とコンテンツ蓄積状況とを用いて配信を要求すべき配信装置を決定するステップと、を備え、
一の前記コンテンツ再生装置は、前記センター装置から前記配信装置の装置情報を受信するステップと、
前記装置情報に基づいて、センター装置又は他の何れかの前記コンテンツ再生装置からコンテンツデータを受信するステップと、を備えることを特徴とするコンテンツ配信方法。
【発明の詳細な説明】
【技術分野】
【０００１】
本発明は、ネットワークを介してコンテンツを配信するコンテンツ配信システム、コンテンツ再生装置、及びコンテンツ配信方法に関する。
【背景技術】
【０００２】
ネットワークを介して、コンテンツデータをＰＣやＳＴＢ（Set-Top Box）のような端末にダウンロードさせて利用条件の範囲内で利用させるサービスが開示され（特許文献１）、実際のサービスでも運用されている。特許文献１には、データを送信する毎に異なる識別情報を生成し、データ受信装置により受信されたデータに含まれる識別情報に基づいて、利用を許可するか否かを判定する技術が開示されている。
【特許文献１】特開２００４−１９９１８８号公報（請求項１）
【発明の開示】
【発明が解決しようとする課題】
【０００３】
しかしながら、特許文献１に記載の技術では、データ受信装置（ユーザ数）が増えて、人気コンテンツが公開されるときには、ダウンロードサーバヘのアクセス負荷が増大する。このため、サービス事業者はＣＤＮ（Contents Delivery Network）のようにサーバハードウェア（センター装置）の増強が必要になる。また、アクセス負荷が増大する時間帯にばらつきがあるため、増強したハードウェアの平均稼動率はあまり高くなく、サービス事業者の事業運営上も投資コストが負担になる。
【０００４】
そこで、本発明は前記課題に鑑みてなされたものであり、センター装置の稼働率を抑制することができるコンテンツ配信システム、コンテンツ再生装置、及びコンテンツ配信方法を提供することを目的とする。
【課題を解決するための手段】
【０００５】
前記課題を解決するため、本発明のコンテンツ配信システムは、ネットワークから自装置の記憶手段に取り込んだコンテンツをネットワークヘも配信する機能を有する複数のコンテンツ再生装置と、何れかの前記コンテンツ再生装置からの配信要求に応じて、自己のコンテンツ配信装置及び他の前記コンテンツ再生装置の何れかにコンテンツ配信を指示する購入管理装置を有するセンター装置と、前記コンテンツ再生装置及びセンター装置を互いに接続するネットワークと、を備え、一の前記コンテンツ再生装置は、前記購入管理装置の指示によって他の前記コンテンツ配信装置にコンテンツを配信することを特徴とする。
【０００６】
これによれば、購入管理装置は、自己のコンテンツ配信装置及び他の前記コンテンツ再生装置の何れかにコンテンツの配信を指示する。コンテンツの配信を指示された一のコンテンツ配信装置は、コンテンツ配信装置の代替として、他のコンテンツ配信装置にコンテンツを配信する。この結果、コンテンツ配信装置を備えるセンター装置の稼働率が抑制される。すなわち、センター装置のコンテンツ配信が減少するので、コンテンツへのアクセスが増加してもセンター装置の稼働率が抑制される。
【発明の効果】
【０００７】
本発明によれば、センター装置の稼働率を抑制することができる。
【発明を実施するための最良の形態】
【０００８】
（第１実施形態）
図面を用いて、本発明の一実施形態であるコンテンツ配信システム及びコンテンツ再生装置の結合関係、配置関係を詳細に説明する。
なお、センター装置から末端のコンテンツ再生装置ヘコンテンツをダウンロードする機構は、基本機能として備わっていることを前提にしている。
【０００９】
図１は、第１実施形態のコンテンツ配信システム１００の構成図である。図１において、コンテンツ配信システム１００は、センター装置１１とコンテンツ再生装置Ａ１８、コンテンツ再生装置Ｂ１９、及びコンテンツ再生装置Ｃ２０とがネットワーク１７を介して接続され、ＩＰ（Internet Protocol）のようなネットワークを介してコンテンツを提供するコンテンツ提供サービスインフラとして機能する。なお、コンテンツ再生装置Ａ１８、コンテンツ再生装置Ｂ１９、及びコンテンツ再生装置Ｃ２０とを総称してコンテンツ再生装置２２ということにする。
【００１０】
センター装置１１は、安全なコンテンツダウンロードサービスを提供するため、コンテンツ管理機能、課金機能、コンテンツ暗号化保護機能、ダウンロード仲介端末の管理機能などを有し、システム全体の動作を制御する。
【００１１】
ネットワーク１７は、ＡＤＳＬ（Asymmetric Digital Subscriber Line）やＢフレッツ、ＣＡＴＶ（CAble TeleVision）網など特に限定はしないが、ＩＰプロトコルが動作するネットワークー般を含む。また、コンテンツ再生装置２２は、ＳＴＢ、ＴＶ、ＰＣなどの何れかが代表的であり、ネットワークインタフェース、モデム・回線終端装置・ルータなどを介してネットワーク１７に接続されてコンテンツダウンロードサービスの提供を可能とする。
【００１２】
センター装置１１は、さらに分解すると、コンテンツ保護装置（コンテンツ保護手段）１２、購入管理装置（購入管理手段）１３、コンテンツ配信装置（コンテンツ配信手段）１４、コンテンツデータファイル２１、端末管理装置（端末管理手段）１５、及びコンテンツ端末データベース１６を備える。なお、センター装置１１に含まれる各装置１２，１３，１４，１５は、ＣＰＵ、ＲＯＭ、ＲＡＭを備える独立したコンピュータ及びプログラムによって構成されている。また、、センター装置１１は、単独のコンピュータにより構成され、各手段の機能がプログラムによって実現されるとしてもよい。以下、センター装置１１を構成する各装置の役割を説明する。
【００１３】
コンテンツ保護装置１２は、ダウンロードするコンテンツを保護するために、コンテンツの暗号化、及び復号化鍵の生成、管理を行なう。端末であるコンテンツ再生装置２２との間の鍵情報の通信にはセキュアなプロトコルが使用される。購入管理装置１３は、ユーザが利用したいコンテンツの利用条件を確認し、利用を許可する場合はその情報をコンテンツ端末データベース１６で管理する機能を有している。コンテンツ配信装置１４は、ダウンロードサービスの対象コンテンツをアップロードするセンター側のサーバであり、コンテンツデータファイル２１は、コンテンツデータを格納するファイルである。
【００１４】
端末管理装置１５は、コンテンツ再生装置２２がサービス利用を開始する段階でコンテンツダウンロードを代替するか否か、代替する場合にはその諸条件（代替条件）をコンテンツ端末データベース１６に登録・更新する機能や、通常サービス時にコンテンツダウンロードの代替装置を検索する検索機能を有する。
【００１５】
以上のように構成されたネットワーク１７を介したコンテンツ配信システムにおいて、コンテンツの配信動作を以下に説明する。まず、図２を用いて、コンテンツ再生装置Ａ１８がコンテンツダウンロードを仲介するかどうかの登録手順と登録内容について説明し、次に図３を用いてコンテンツ再生装置Ｂ１９によるダウンロード仲介が不可な場合の配信動作について説明し、最後に図６を用いて、ダウンロード仲介が可能な場合、すなわち、コンテンツ再生装置Ｂ１９がコンテンツ再生装置Ｃ２０にコンテンツを配信する動作について説明する。
【００１６】
図２の構成図を用いて、コンテンツ再生装置Ａ１８がコンテンツサービスの利用を開始する段階で、他のコンテンツ再生装置Ｂ１９（Ｃ２０）のダウンロード仲介を行うことができるか否かをセンター装置１１に登録する登録手順と登録内容とについて説明する。例えば、コンテンツ再生装置Ａ１８が常時稼働していなければダウンロード仲介をすることができず、常時稼働していても、ダウンロード仲介は所有者の判断・権限で行われるべきものだからである。センター装置１１への登録手順の実行タイミングはサービスの運用によりさまざまな形態が考えられる(登録ページをアクセスするまではデフォルト設定は仲介せずなど)が、この手順を実行しなければコンテンツ再生装置Ａ１８を経由したダウンロードの仲介は実行されないように構成される。ダウンロードの仲介を了解・実行するインセンティブとしては、サービスポイントの付加など利用者メリットを明示する方法が考えられる。
【００１７】
コンテンツダウンロードサービスの利用を開始する段階で、センター装置１１を構成する端末管理装置１５にコンテンツ再生装置Ａ１８がアクセスすると、図２の（１）の流れの通りに、端末管理装置１５は、端末登録メニューページ３１を端末管理装置１５からコンテンツ再生装置Ａ１８に送信する。
【００１８】
コンテンツ再生装置Ａ１８は、この端末登録メニューページ３１を介して、以下の項目が入力される。
（ａ）コンテンツダウンロードを仲介することの可否
（ｂ）仲介するコンテンツの上限容量(仲介する場合)
（ｃ）ダウンロードを許可する時間帯(仲介する場合)
入力後、（２）の流れにしたがって、これらの情報は、ダウンロード条件データ（ダウンロード仲介情報）３３として端末管理装置１５に送信される。
【００１９】
端末管理装置１５は、図２の（３）にしたがって、コンテンツ再生装置Ａ１８から送信されたダウンロード条件データ３３をチェックし、仲介可の場合には、この端末ＩＤ３２（ＩＰアドレスなど端末を一意に識別可能な情報）、上限容量、時間帯を含むダウンロード条件データ３３をコンテンツ端末データベース１６に登録する。本例では、ダウンロード仲介情報として、ダウンロード条件データ３３の上限容量や時間帯を登録しているが、その他にも、端末能力情報(上限転送速度、下限転送速度)といった情報も考えられる。
【００２０】
次に、符号（４）の流れに従い、コンテンツ端末データベース１６は登録の処理結果に応じた登録処理結果コードを端末管理装置１５に送信する。この登録処理結果コードは、仲介可か仲介不可かの結果が記述されている。次に、符号（５）にしたがって、端末管理装置１５は、登録処理結果コードをコンテンツ再生装置Ａ１８へ送信する。このとき、登録処理結果コードが仲介不可の場合、端末管理装置１５は、登録処理ＯＫのコードのみをコンテンツ再生装置Ａ１８へ返信する。
【００２１】
次に、図３の構成図及び図４，５のフローチャートを用いて、ダウンロードコンテンツを利用する際に、センターサーバ以外にコンテンツを配信する装置がない場合の利用フローを説明する。
コンテンツ再生装置Ｂ１９は、コンテンツ配信システム１００（図１）が供給可能なコンテンツの中から利用したい対象コンテンツを選択し、購入管理装置１３ヘコンテンツ購入要求３６を送信する（Ｓ１）。送信時には端末を一意に識別できる情報(ユーザアカウントＩＤなど)が購入管理装置１３へ通知されるものとする。
【００２２】
購入管理装置１３は、コンテンツ端末データベース１６に対して、対象コンテンツの購入可否の検索指令を送信する（Ｓ２）。チェック内容としては、コンテンツ自身の販売可能状態、ユーザの購入可能性などがある。
【００２３】
コンテンツ端末データベース１６は、受信した検索指令に基づいて検索を行い、購入可否検索結果が購入管理装置１３に返信される（Ｓ３）。購入管理装置１３は、購入可否検索結果（Ｓ３'）が購入不可であれば、エラー結果をコンテンツ再生装置Ｂ１９へ返して、購入要求が失敗する。一方、購入可否検索結果が購入可能であれば、購入管理装置１３は、端末管理装置１５に対してコンテンツのダウンロードサイト検索３７の要求を端末識別情報、及びコンテンツ情報と共に送信する（Ｓ４）。
【００２４】
端末管理装置１５は、コンテンツ端末データベース１６を用いて、対象コンテンツの配信が可能なコンテンツ再生装置２２が存在するか否かについて、コンテンツ情報、及び現在時刻を元に検索する（Ｓ５）。検索後、コンテンツ端末データベース１６は、検索条件に一致するコンテンツ再生装置２２の端末識別情報(コンテンツ配信元を表すアドレスデータなど)又はＮＵＬＬ（値０)を端末管理装置１５へ結果として返す（Ｓ６）。
【００２５】
このときＮＵＬＬが返された場合、図５において、端末管理装置１５は、センター装置１１のコンテンツ配信装置１４を表すサーバ情報（ＵＲＬなど)にデータを置換して、購入管理装置１３へ返信する（Ｓ７）。
【００２６】
購入管理装置１３は、購入成功、あるいはコンテンツダウンロード配信元検索成功を受けて再生条件パラメータ３５と共に、ダウンロード情報３９をコンテンツ再生装置Ｂ１９へ送信する（Ｓ８）。この再生条件パラメータ３５は、元々のコンテンツダウンロードシステムが管理情報として提供していた、再生期限などサービス固有の情報である。ダウンロード情報も同様の情報であり、コンテンツのダウンロード元の装置アクセス情報(ＩＰアドレスとプロトコルなど)から構成される。
【００２７】
コンテンツ再生装置Ｂ１９は、再生条件パラメータ３５を内部に保存した後、ダウンロード要求４０をコンテンツ配信装置１４(今回はコンテンツ配信装置１４のみアップロード可能なため)へ送信する（Ｓ９）。
コンテンツ配信装置１４は、コンテンツ保護装置１２ヘコンテンツの暗号／復号鍵要求３８を送信し（Ｓ１０）、コンテンツ保護装置１２がこの要求を受け付ける。コンテンツ保護装置１２は、指定されたコンテンツ、及びコンテンツ再生装置としての固有の鍵を生成し、コンテンツ配信装置１４へこの鍵を返信する（Ｓ１１）。
【００２８】
コンテンツ配信装置１４は、コンテンツデータファイル２１の読出しと並行して、暗号化処理を実行し（Ｓ１２）、コンテンツ再生装置Ｂ１９へ復号化鍵及びコンテンツ配信４１を実行する（Ｓ１３）。
コンテンツ再生装置Ｂ１９は、受信した復号化鍵を再生条件パラメータ３５として保存し、コンテンツデータを記憶手段である内蔵ＨＤＤ３４に蓄積する（Ｓ１４）。
【００２９】
コンテンツの配信が正常に終了すると、コンテンツ配信装置１４はダウンロード完了情報をコンテンツ端末データベースヘ登録する（Ｓ１５）。この時点で、コンテンツ情報をキーにダウンロード済み端末を検索すると、蓄積されたコンテンツ情報、コンテンツの有効期限、端末の装置情報(ダウンロード仲介の可否を含む)などが取得できる。
【００３０】
最後に、図６の構成図を用いて、コンテンツのダウンロード元として、コンテンツ再生装置が提示された場合の動作フローについて説明する。
本例では、コンテンヅ再生装置Ｃ２０がコンテンツ購入を要求した場合に、コンテンツ再生装置Ｂ１９がコンテンツ配信元として機能できることを通知されてダウンロードを実行する手順が示されている。
【００３１】
Ｓ１からＳ６までのステップは、要求発行の端末が異なる以外は、図３の構成図と同様であるので、説明を省略する。このため、図６においては、Ｓ７以降のステップはＳ２７以降のステップで表現されている。端末管理装置１５は、コンテンツの配信を代替できる装置が存在したので、その装置のＵＲＬ情報を購入管理装置１３に送信する（Ｓ２７）。
購入管理装置１３は、センター装置１１のコンテンツ配信装置１４以外が検索されたため、コンテンツ保護装置１２ヘコンテンツの暗号／復号鍵要求を送信する（Ｓ２８）。
コンテンツ保護装置１２は、指定されたコンテンツ及びコンテンツ再生装置Ｂ１９に固有の鍵を生成し、購入管理装置１３にこの鍵を返信する（Ｓ２９）。
【００３２】
購入管理装置１３は、コンテンツ配信元のコンテンツ再生装置Ｂ１９へ、暗号化鍵とコンテンツ配信とが可能か否かの確認要求を送信する（Ｓ３０）。
コンテンツ再生装置Ｂ１９は、自装置の内部状態(コンテンツの蓄積状態など)を確認し、配信可能か否かを購入管理装置１３へ返信する（Ｓ３１）。
購入管理装置１３は、まず再生条件パラメータ４３をコンテンツ再生装置Ｃ２０へ送信する（Ｓ３２）。続けて、コンテンツ配信元を示すダウンロード情報、コンテンツの復号化鍵をコンテンツ再生装置Ｃ２０へ返信する（Ｓ３３）。ダウンロード情報は、配信可能状態により、コンテンツ再生装置Ｂかセンターのコンテンツ配信装置のいずれかである。
【００３３】
コンテンツ再生装置Ｃ２０はダウンロード情報を受信した後、コンテンツ再生装置Ｂ１９に対して、ダウンロード要求を発行する（Ｓ３４）。コンテンツ再生装置Ｂ１９は、指定されたコンテンツを内蔵ＨＤＤ３４から読み出し、再生条件パラメータに保存された復号化鍵で復号後、Ｓ３０で通知された暗号化鍵で暗号化されたコンテンツをコンテンツ再生装置Ｃ２０へ送信する（Ｓ３５）。
【００３４】
コンテンツ再生装置Ｃ２０は受信したコンテンツを記憶手段である内蔵ＨＤＤ４２へ蓄積する（Ｓ３６）。コンテンツ再生装置Ｃ２０は、正常にダウンロードが成功した場合には、端末管理装置１５ヘコンテンツのダウンロード情報を送信する（Ｓ３７）。端末管理装置１５は、コンテンツ端末データベース１６内のダウンロードされたコンテンツ、及び端末に関する情報を更新する（Ｓ３８）。
【００３５】
なお、コンテンツ再生装置Ｃ２０が、電源のダウン等によりコンテンツのダウンロードに失敗した場合には、コンテンツ再生装置Ｂ１９が購入管理装置１３にダウンロードに失敗した旨を送信する。購入管理装置１３は、コンテンツ保護装置１２に対して、発行済みの暗号化鍵の無効化を要求する。また、コンテンツ再生装置Ｂ１９の電源がダウンし、コンテンツ再生装置Ｃ２０がダウンロードに失敗した場合には、購入管理装置１３に失敗を通知した後、コンテンツ再生装置Ｃ２０は改めてコンテンツ配信装置１４からコンテンツを受信する。
【００３６】
本実施形態の動作のバリエーションとしては、Ｓ３０の確認処理として、コンテンツ再生装置Ｂ１９とコンテンツ配信装置１４との間でデータ転送の正常確認を実行したり、コンテンツ配信を確実にするためコンテンツ再生装置Ｂ１９の再生条件パラメータ４３内の蓄積期限を延長したりしてもよい。あるいは、コンテンツ再生装置Ｂ１９からの配信結果に基づいて、配信装置として機能するコンテンツ再生装置のプライオリティ付けをコンテンツ端末データベース１６に追加することも可能である。
【００３７】
以上説明したように、本実施形態によれば、コンテンツ端末データベース１６に、コンテンツ配信の代替可否、及び諸条件（代替条件）の情報を蓄積可能にし、コンテンツ配信元の検索時にこの情報と連携することで、センター装置１１以外のコンテンツ再生装置からコンテンツを配信することが可能になる。この実施形態には以下の３つの効果が期待できる。
（１）ネットワークの有効利用
データベースの検索アルゴリズムにより、コンテンツの利用要求を発行した複数のコンテンツ再生装置に対して、センター装置１１のコンテンツ配信装置１４よりもネットワーク距離的に近いコンテンツ再生装置をダウンロード元とすることが可能になり、不要な経路上にコンテンツデータが送信されることが少ない。
（２）サービス事業会社の設備投資コストの削減
最近の装置は性能も上がっており、ユーザがコンテンツを視聴しない時間帯のＣＰＵリソースを利用することができる。これにより、ユーザが増えた場合であっても、Ｗｅｂサーバの増強は必要であるものの、コンテンツ配信装置はユーザ数に比例して自然増加するので、特段増強する必要がない。
（３）利用ユーザのサービス利用の促進
ユーザがコンテンツの配信機能を代替することのインセンティブとして、何らかのサービス利用の割引やポイント付与などを行うことにより、ユーザのコンテンツ利用が促進される。
【００３８】
（変形例）
本発明は前記した実施形態に限定されるものではなく、例えば以下のような種々の変形が可能である。
前記実施形態では、コンテンツのダウンロードを代替する装置の検索において、コンテンツを保持するコンテンツ再生装置があれば、その装置を配信元として、要求元へ提示するアルゴリズムを説明したが、コンテンツの種類、アクセス状況などにより、代替装置かセンター装置１１のコンテンツ配信装置１４の決定アルゴリズムを動的に変更する機構を付加することでより柔軟なコンテンツ配信方式とすることが可能になる。
また、前記実施形態では、ダウンロード型のコンテンツ配信に適用する例を説明したが、配信順序の制御機構を多少変更することによってストリーミング方式のコンテンツ配信にも適用可能である。
【図面の簡単な説明】
【００３９】
【図１】本実施形態のコンテンツ配信システムの構成図である。
【図２】コンテンツダウンロードを仲介するかどうかの登録手順と登録内容について説明するための図である。
【図３】センターサーバがコンテンツを配信する場合の動作を説明するための図である。
【図４】コンテンツダウンロードを仲介するかどうかの登録手順を説明するための一のフローチャートである。
【図５】コンテンツダウンロードを仲介するかどうかの登録手順を説明するための他のフローチャートである。
【図６】コンテンツ再生装置同士でコンテンツを配信する場合を説明するための図である。
【図７】コンテンツ再生装置同士でコンテンツを配信するためのフローチャートである。
【符号の説明】
【００４０】
１１  センター装置
１２  コンテンツ保護装置（コンテンツ保護手段）
１３  購入管理装置（購入管理手段）
１４  コンテンツ配信装置（コンテンツ配信手段）
１５  端末管理装置（端末管理手段）
１６  コンテンツ端末データベース
１７  ネットワーク
１８  コンテンツ再生装置Ａ
１９  コンテンツ再生装置Ｂ
２０  コンテンツ再生装置Ｃ
２１  コンテンツデータファイル
２２  コンテンツ再生装置
３１  端末登録メニューページ
３２  端末ＩＤ
３３  ダウンロード条件データ
３４，４２  内蔵ＨＤＤ（記憶手段）
３５，４３  再生条件パラメータ
３６  コンテンツ購入要求
３７  ダウンロードサイト検索
３８コンテンツ暗号／符号鍵要求
３９  ダウンロード情報
４０  ダウンロード要求
４１  複合鍵及びコンテンツ配信
４４  暗号鍵送信、配信確認
１００  コンテンツ配信システム
【図１】
2008206009.tif 000003
【図２】
2008206009.tif 000004
【図３】
2008206009.tif 000005
【図４】
2008206009.tif 000006
【図５】
2008206009.tif 000007
【図６】
2008206009.tif 000008
【図７】
2008206009.tif 000009